(57)【要約】【課題】  滑止シートの幅を小さくでき、かつ、取り付ける際の作業者の負担を軽減することができる新しい収容物の落下防止構造を提供する。【解決手段】  ほぼ水平な棚板１２と、該棚板１２の最奥部に立設された背板１３と、前記棚板１２の手前側に貼付された滑止シート１５と、を有し、前記収容物Ａが、棚板１２上の前記滑止シート１５より奥側に載置され、前記背板１３から前記滑止シート１５の背板１３側端までの間に距離Ｓ２、Ｓ３が存在するだけ収容物Ａの前後方向寸法より大きい。【選択図】      図１
0003183937.tif 000002
【実用新案登録請求の範囲】
【請求項１】
ほぼ水平な棚板と、該棚板の最奥部に立設された背板と、前記棚板の手前側に貼付された滑止シートと、を有し、前記収容物が、棚板上の前記滑止シートより奥側に載置され、前記背板から前記滑止シートの背板側端までの距離が収容物の前後方向寸法より大きいことを特徴とする収容物の落下防止構造。
【請求項２】
前記滑止シートが、収容物と背板との間にも貼付され、前後の滑止シート間の距離が収容物の前後方向寸法より大きいことを特徴とする請求項１に記載の収容物の落下防止構造。
【請求項３】
前記滑止シートの厚さが、０．２〜２．０ｍｍであることを特徴とする請求項１又は２に記載の収容物の落下防止構造。
【請求項４】
前記滑止シートが長さ方向の途中で切断され、切断された両側の先端に突起部が形成され、両方の突起部の長さだけ滑止シート全体の長さを調整可能としたことを特徴とする請求項１から３のいずれかに記載の収容物の落下防止構造。
【考案の詳細な説明】
【技術分野】
【０００１】
本発明は、地震などで棚から書籍、ＣＤ、ＤＶＤ等（これらをここでは「収容物」と称することにする）が落下するのを防止する構造に関する。
【背景技術】
【０００２】
地震などの外力による振動で、書架から多数の収容物がバラバラと降るように落下する。このような収容物の落下を防止するものとして、特許文献１（特開平１１−１７８６６５）、特許文献２（特開平１１−２７６２７６）、特許文献３（特開平９−１７３１７０）、特許文献４（特許２８２６８１１号）、特許文献５（特開２００３−７９４６１）が知られている。
【０００３】
特許文献１から４は、具体的な機構は個々に相違するが、いずれも、書架の手前側に落下防止用のバーを設けたものである。このバーは、通常の場合は、棚板と同じ高さにあって書籍の出し入れの邪魔にならないようになっている。そして、地震の揺れを検知すると、このバーが移動し、書籍の落下を防止するものである。
【０００４】
しかしながら、これらの落下防止装置は、誤動作が多い。これは、書架の揺れが各部所や高さで一定ではないため、地震の際に作動するところと作動しないところが混在することが原因と考えられる。また、別の原因として、地震ではなく、人やブックカートが書架に衝突した場合にも、作動する場合がある。
【０００５】
さらに、最近の阪神大震災や新潟地震などの巨大な地震では、加速度５００ガル程度以上が加わることになる。このような状況下で、落下防止バーが出てきて書籍の落下を防止しようとすると、移動落下しようとする書籍類を止めるために、急激な衝撃が書架の全体にかかる。その結果、書架内の書籍は棚の上を一斉に同じ方向に移動し、エネルギーが集中・増幅して書架全体を倒壊させてしまうことになる。
【０００６】
特許文献５は、特許文献１〜４とは異なった考えに基づくものである。これは、棚の上の手前側に高摩擦材シートを敷き、この上に書籍などの収容物を載置するもので、高摩擦材シートの幅が、収容物の奥行き長さの１／２以下となっている。この場合、収容物の重心は、高摩擦材シートから外れた棚の奥側になる。
【０００７】
地震などの振動が加わると、収容物は、高摩擦材シートの作用によって、棚の手前側には移動しない。したがって、収容物が棚の手前側から落下するのを防止できる、というものである。
【０００８】
特許文献６は、特許文献５とは相違して、滑止シートと前記収容物との重なり部分の奥行き寸法が、前記収容物の奥行き寸法の１／２を越えることを特徴としている。収容物は滑止シート上に載っているので、棚板の手前側にも奥側にも移動せず、背板との間に隙間があるので背板にも接触しないので、飛び出したり、落下したりすることがない。
【先行技術文献】
【特許文献】
【０００９】
【特許文献１】特開平１１−１７８６６５
【特許文献２】特開平１１−２７６２７６
【特許文献３】特開平９−１７３１７０
【特許文献４】特許２８２６８１１号
【特許文献５】特開２００３−７９４６１
【特許文献６】特開２００８−３０１９８０
【考案の概要】
【考案が解決しようとする課題】
【００１０】
しかしながら、特許文献６の場合は、滑止シートの幅が大きくなり、滑止シートが高価になる。また、滑止シートを敷く場合、収容物を一度取り除いてから滑止シートを敷き、その後、収容物を載置する必要があり、作業者の負担が大きいという問題がある。
【００１１】
本考案は、斯かる実情に鑑み、滑止シートの幅を小さくでき、かつ、取り付ける際の作業者の負担を軽減することができる新しい収容物の落下防止構造を提供しようとするものである。
【課題を解決するための手段】
【００１２】
上記の目的を達成するために本考案は、ほぼ水平な棚板と、該棚板の最奥部に立設された背板と、前記棚板の手前側に貼付された滑止シートと、を有し、前記収容物が、棚板上の前記滑止シートより奥側に載置され、前記背板から前記滑止シートの背板側端までの距離が収容物の前後方向寸法より大きいことを特徴としている。
【考案の効果】
【００１３】
本考案の収容物の落下防止構造によれば、収容物を棚板の奥に押し込んで移動するだけで滑止シートを敷設することができるので、作業者の負担を軽減することができる。また、滑止シートの幅を小さくすることができるので、滑止シートを安価に作成することができる。等の優れた効果を奏する。
【図面の簡単な説明】
【００１４】
【図１】本考案の収容物の落下を防止することができる構造の実施例１としての書架の要部を示す図で（ａ）は側面図で、（ｂ）は正面図である。
【図２】本考案の収容物の落下を防止することができる構造の実施例２としての書架の要部を示す側面図である。
【図３】（ａ）、（ｂ）は、本考案の滑止シートの実施例を示す平面図である。
【考案を実施するための形態】
【００１５】
以下、本考案の実施の形態を、添付図面を参照して説明する。
【実施例１】
【００１６】
図１は、本考案の収容物の落下を防止することができる構造の実施例としての書架の要部を示す図で（ａ）は側面図で、（ｂ）は正面図である。書架１０は、通常の書架と同様の構成で、ほぼ平行に立設された側板１１、１１間に、水平な複数の棚板１２と、この棚板１２の最奥部に立設された背板１３とを有する。
【００１７】
本考案では、棚板１２の手前側の上面に滑止シート１５を接着剤等で固定し、その奥側に収容物Ａが載置されている。収容物Ａは、滑止シート１５上に載っていない状態である。
【００１８】
滑止シート１５は、書架１０の前縁１０ａから距離Ｓ１だけ離れて棚板１２の上面に接着剤等で固定される。距離Ｓ１は特に必要ではなく、棚板の奥行寸法に余裕がなければＳ１＝０としてもよい。滑止シート１５の幅Ｗは１〜２ｃｍとした。図示の実施例では、収容物Ａは、滑止シート１５との間に距離Ｓ２を保ち、背板１３との間に距離Ｓ３を保つように配置している。距離Ｓ２、Ｓ３を０にしてもよいが、少なくとも、一方は０以上を確保する必要があり、Ｓ２＝０とし、Ｓ３＞０とするのが望ましい。地震で揺れた場合、収容物Ａは前後に揺動できなければ、地震の振動を吸収することができないからである。また、収容物Ａが前後に揺動することで、書架１０が倒れるのを防止することができる。
【００１９】
次に、実施例１の作用を説明する。
震度５強の地震が発生すると、５００ガル程度の応答加速度が書架の下部に加わり、書架の上部では、１２００〜１５００ガルとなり震度７クラスの揺れが発生する。書架が揺動すると、収容物Ａとしての書籍も前後方向に揺動する。収容物Ａが前方（手前側）に滑ってくると、前に滑止シート１５があるので、書籍の下の角部が滑止シート１５に当たり、跳ね返り、後方（奥側）に滑り、背板１３に当たり、跳ね返り、前方に滑り滑止シート１５に当たることを繰り返す。このような書籍の揺動によって、地震による書架の揺動を減縮することができ、書架を倒れにくくすることができる。そして同時に、滑止シート１５に書籍が衝突することで、書籍の揺動を抑え、書籍が書架から落下することを防止することができる。
【００２０】
滑止シート１５は、前方にスライドしてきた収容物Ａの下の角部に衝突して、収容物Ａが棚板１２から飛び出すのを防止するものなので、棚板１２に接着剤などで固定しておく必要がある。ただし、接着力はそれほど大きくする必要はなく、たとえば、繰り返して使用できる粘着剤等を使用してもよい。
【００２１】
滑止シート１５の厚さは、０．２〜２．０ｍｍがよい。０．２ｍｍ未満だと、収容物Ａが地震などで棚板１２上をスライド移動したとき、滑止シート１５を乗り越えてしまうからである。２ｍｍを越えると、収容物Ａを棚から取り出す際に、取り出しにくくなるからである。望ましい厚さとしては０．４〜１．５ｍｍの範囲であり、最も望ましい厚さは、０．５ｍｍ±０．１ｍｍである。
【００２２】
滑止シート１５の材質は、特に限定されず、木材や紙や金属板などでもよいが、衝撃を和らげ、振動を減衰させるクッションとしての機能を有することが望ましい。具体的には、合成樹脂系の材料で、たとえば、ＰＰ、ＰＥＴ、ＰＶＣや、シリコーン系の素材が望ましい。
【実施例２】
【００２３】
図２は本考案の実施例２を示すものである。図中、図１と同じ符号は図１と同じものなので、説明は省略する。この実施例２では、収容物Ａの前後に滑止シート１５を貼付したことに特徴がある。収容物Ａと前方の滑止シート１５との間には距離Ｓ２の隙間を設け、収容物Ａと後方の滑止シート１５との間には、距離Ｓ４の隙間を設けている。また、収容物Ａが後方の滑止シート１５に衝突したときでも、背板１３との間に距離Ｓ５の隙間が確保できる。なお、距離Ｓ５は滑止シートの幅Ｗと等しくてもよい。
【００２４】
次に、上記した実施例２の作用を説明する。
地震が発生して書架が揺動すると、収容物Ａとしての書籍も前後に揺動する。このとき、前後に滑止シート１５、１５があるので、前後の滑止シート１５に衝突する度に振動を吸収することができ、書籍の落下をより効果的に防止することができる。また、収容物Ａと背板１３との間に距離Ｓ５が確保されることになるので、収容物Ａが後方に移動して背板１３に衝突する場合でも、収容物Ａの下端は滑止シート１５で止められて背板１３には衝突せず、収容物Ａの上端のみが衝突することになり、衝突の衝撃を和らげることになる。収容物Ａが背板１３に勢い良く衝突すると、跳ね返りが大きく、跳ね返ったとき収容物Ａが書架の前方から飛び出し易くなるが、距離Ｓ５と滑止シート１５があることにより、収容物Ａの飛び出しを防止することができる。
【００２５】
図３は本考案の滑止シート１５の実施例を示す平面図である。滑止シート１５は、図１の側板１１、１１間の長さが必要であるが、この長さは、書架により若干の相違がある。そのため、種々の長さの滑止シート１５を備えておく必要がある。しかし、多数のストックを用意することは、無駄でもあり、負担も大きい。
【００２６】
そこで、本考案では、図３（ａ）、（ｂ）に示すような滑止シート１５を提案している。図３（ａ）は、１枚の滑止シート１５を、途中で斜めの線で切断し、滑止シート１５を左右の１５ａと１５ｂに分割し、切断した先端を突起部１５ｃ、１５ｃとしたものである。左右両側の滑止シート１５ａ、１５ｂが、矢印に示すように、左右に移動することによって、突起部１５ｃの長さＤだけ滑止シート１５の長さＬを調整することができることになる。これによって、側板１１、１１間の長さが若干相違しても、１種類の滑止シート１５で対応することができる。
【００２７】
図３（ｂ）は、１枚の滑止シート１５を途中でクランク型の線で切断し、滑止シート１５を１５ｄと１５ｅに分割し、先端に矩形の突起部１５ｆ、１５ｆを形成したものである。突起部１５ｆの長さだけ、滑止シート１５の長さを調整できる。突起部は、図示した１５ｃ、１５ｆ以外にも、多様な形状の突起部とすることができる。
【符号の説明】
【００２８】
１０ 書架
１１ 側板
１２ 棚板
１３ 背板
１５ 滑止シート
１５ｃ 突起部
１５ｆ 突起部
【図１】
0003183937.tif 000003
【図２】
0003183937.tif 000004
【図３】
0003183937.tif 000005